(57)【要約】【課題】今までに無い非常に斬新且つ立体感のある渦巻き状のシワ模様が付設された衣類等を提供すること。【解決手段】布地１に渦巻き状のシワ模様２を付設する方法であって、回転体３の先端に係止部４を設け、この係止部４を布地１に係止した状態で布地１を保持したまま前記回転体３を回転せしめることによりこの布地１に渦巻き状のシワ模様２を形成し、このシワ模様２を保持した状態で熱処理することにより前記渦巻き状のシワ模様２を布地１に記憶させる布地のシワ模様付設方法。【選択図】        図６
2004211226.tif 000002
【特許請求の範囲】
【請求項１】
布地に渦巻き状のシワ模様を付設する方法であって、回転体の先端に係止部を設け、この係止部を布地に係止した状態で布地を保持したまま前記回転体を回転せしめることによりこの布地に渦巻き状のシワ模様を形成し、このシワ模様を保持した状態で熱処理することにより前記渦巻き状のシワ模様を布地に記憶させることを特徴とする布地のシワ模様付設方法。
【請求項２】
前記熱処理としてアイロン掛けを採用したことを特徴とする請求項１記載の布地のシワ模様付設方法。
【請求項３】
前記布地に前記渦巻き状のシワ模様を形成した後、このシワ模様の表面に薄片状の押当体を積層し、この押当体上からアイロン掛けして前記渦巻き状のシワ模様を布地に記憶させることを特徴とする請求項２記載の布地のシワ模様付設方法。
【請求項４】
前記回転体として棒状のものを採用し、前記押当体としてこの棒状の回転体が貫通可能な貫通孔を有するものを採用し、回転体の回転により布地に渦巻き状のシワ模様を形成した後、この回転体の係止部を布地に係止したまま前記貫通孔に回転体を挿通せしめてこの回転体により前記シワ模様を保持した状態のまま前記押当体をシワ模様の表面に積層してこの押当体により渦巻き状のシワ模様を保持せしめ、続いて、回転体を除去し、押当体上からアイロン掛けすることを特徴とする請求項３記載の布地のシワ模様付設方法。
【請求項５】
前記係止部として前記布地に刺入可能な二本以上ピンにより構成されたものを採用したことを特徴とする請求項１〜４のいずれか１項に記載の布地のシワ模様付設方法。
【請求項６】
前記布地として形状記憶素材製のものを採用したことを特徴とする請求項１〜５いずれか１項に記載の布地のシワ模様付設方法。
【請求項７】
請求項１〜６のいずれか１項に記載の布地のシワ模様付設方法により渦巻き状のシワ模様が形成された布地で形成されていることを特徴とする渦巻き状シワ模様付の衣類。
【発明の詳細な説明】
【０００１】
【発明の属する技術分野】
本発明は、布地にシワ模様付設する技術に関するものである。
【０００２】
【従来の技術及び発明が解決しようとする課題】
フレアースカートのように、折り目による立体的な模様、所謂プリーツを付与された衣類は従来より多種存在している（例えば、特公平６−４１６６７号公報）。
【０００３】
ところで、従来のプリーツによって形成される模様は、直線状の折り返しを繰り返して階段状としたもの、折り返しによって三角形や星形や円等の比較的単純な形状を浮き出させたもの、クシャクシャのシワ状としたもの等、幾つかの決まったものしか存在していない。
【０００４】
本発明は、渦巻き状という、今までの衣類には全く存在しない斬新な立体的模様を付与する手法を提供することを目的とする。
【０００５】
【課題を解決するための手段】
添付図面を参照して本発明の要旨を説明する。
【０００６】
布地１に渦巻き状のシワ模様２を付設する方法であって、回転体３の先端に係止部４を設け、この係止部４を布地１に係止した状態で布地１を保持したまま前記回転体３を回転せしめることによりこの布地１に渦巻き状のシワ模様２を形成し、このシワ模様２を保持した状態で熱処理することにより前記渦巻き状のシワ模様２を布地１に記憶させることを特徴とする布地のシワ模様付設方法に係るものである。
【０００７】
また、前記熱処理としてアイロン掛けを採用したことを特徴とする請求項１記載の布地のシワ模様付設方法に係るものである。
【０００８】
また、前記布地１に前記渦巻き状のシワ模様２を形成した後、このシワ模様２の表面に薄片状の押当体５を積層し、この押当体５上からアイロン掛けして前記渦巻き状のシワ模様２を布地１に記憶させることを特徴とする請求項２記載の布地のシワ模様付設方法に係るものである。
【０００９】
また、前記回転体３として棒状のものを採用し、前記押当体５としてこの棒状の回転体３が貫通可能な貫通孔６を有するものを採用し、回転体３の回転により布地１に渦巻き状のシワ模様２を形成した後、この回転体３の係止部４を布地１に係止したまま前記貫通孔６に回転体３を挿通せしめてこの回転体３により前記シワ模様２を保持した状態のまま前記押当体５をシワ模様２の表面に積層してこの押当体５により渦巻き状のシワ模様２を保持せしめ、続いて、回転体３を除去し、押当体５上からアイロン掛けすることを特徴とする請求項３記載の布地のシワ模様付設方法に係るものである。
【００１０】
また、前記係止部４として前記布地１に刺入可能な二本以上ピン７により構成されたものを採用したことを特徴とする請求項１〜４のいずれか１項に記載の布地のシワ模様付設方法に係るものである。
【００１１】
また、前記布地１として形状記憶素材製のものを採用したことを特徴とする請求項１〜５いずれか１項に記載の布地のシワ模様付設方法に係るものである。
【００１２】
また、請求項１〜６のいずれか１項に記載の布地のシワ模様付設方法により渦巻き状のシワ模様２が形成された布地１で形成されていることを特徴とする渦巻き状シワ模様付の衣類に係るものである。
【００１３】
【発明の実施の形態】
好適と考える本発明の実施の形態（発明をどのように実施するか）を、図面に基づいてその作用効果を示して説明する。
【００１４】
回転体３の先端の係止部４を布地１に係止し、布地１を保持したまま回転体３を回転せしめると、この回転体３の回転により、今までのブリーツによって形成される模様とは全く異なる、非常に斬新で且つ立体的な渦巻き状のシワ模様２が布地１に形成される。
【００１５】
この渦巻き状のシワ模様２は、アイロン掛け等の熱処理によって布地１に記憶させることができ、例えば、上着にこの渦巻き状のシワ模様２を付設すれば、少なくとも数日間は型崩れしたりしない。
【００１６】
また、布地１に渦巻き状のシワ模様２を形成してから、この布地１を縫製して衣類１１とする場合でも、やはり渦巻き状のシワ模様２が消失したりしない。
【００１７】
特に、形状記憶素材製の布地１を採用した場合、長時間経過しても何度洗濯を行ってもこの渦巻き状のシワ模様２が消失したりしない。
【００１８】
また、この渦巻き状のシワ模様２は回転体３の回転という非常に簡単な方法で形成することができる為、多数を布地１に形成できる。よって、衣類１１の決められた位置にも、ランダムな位置にも、簡単に多数の渦巻き状のシワ模様２を形成していくことができる。
【００１９】
このように本発明によれば、今までに無い非常に斬新且つ立体感のある渦巻き状のシワ模様２が付設された衣類１１等が得られることになる。
【００２０】
【実施例】
本発明の具体的な実施例について図面に基づいて説明する。
【００２１】
アイロン台等の載置部に布地１を載置する。
【００２２】
布地１は、形態安定ワイシャツの素材等として市場に流通している形状記憶素材を採用する。
【００２３】
続いて、この布地１にしてシワ模様２を付設したい位置に、先端に係止部４が設けられた回転体３のこの係止部４を係止する。
【００２４】
回転体３は、棒状のものを採用する。
【００２５】
係止部４は、布地１との係止が解除されないように、且つ、回転体３を回転させた際に布地１に良好に渦巻き状のシワ模様２が形成されるように、布地１に刺入可能な二本以上ピン７により構成されたものを採用する。尚、このピン７が回転体３の回転によって布地１に形成される渦巻き状のシワ模様の所謂「腕」の基端ともなる為、このピン７の数は、形成したい渦巻きの腕の本数も考慮して決定する。
【００２６】
続いて、回転体３を回転させ、布地１にして回転体３の係止部４が係止されている部位（以下、回転中心部８という。）を中心に、布地１の一部を回転させる。この回転中心部８を中心とした布地１の一部の回転により、この回転した部分が前記回転中心部８を中心とする渦巻き状のシワ模様２となる。
【００２７】
この渦巻き状のシワ模様２は、数本の「腕」（この腕という表現は渦巻きの形状を表現する場合に使用されるものである。）によって形成されている。この「腕」は、前記ピン７が刺入された部位を基端とするものは布地１から没入（若しくは突出）しており、その他の部位が逆に突出（若しくは逆に没入）する凹凸状態となっている。また、ピン７の本数が例えば二本と少ない場合、夫々のピン７によって形成される夫々の腕の間にも腕が形成される（この夫々の腕の間に形成される腕は一本しか形成されない場合も二本以上形成される場合もある。）。
【００２８】
この渦巻き状のシワ模様２の渦巻き度合いは、回転体３の回転数により適宜設定できる。この渦巻き度合いは、デザイン上から設定する。
【００２９】
また、この回転体３の回転の際には、布地１が回転しないように保持しておく。これは、布地１と前記載置部との摩擦抵抗により達成可能であるが、回転体３の回転数を多めに設定する場合には、回転体３の回転に伴って布地１が回転することにより所望の渦巻き状とならないおそれがある為、例えば、布地１の上に文鎮のようなおもりを載置してこの布地１を載置部上に押し付け保持する方法を採用すると良い。
【００３０】
続いて、この形成した渦巻き状のシワ模様２を布地１に記憶させる工程を行う。
【００３１】
この工程は、他のプリーツ加工と同様、布地１にしてシワ模様２の部分に熱処理を加えて、このシワ模様２を布地１に記憶させる方法を採用する。
【００３２】
この記憶させる工程の際、回転体３の係止部４と布地１との係止が解除されると、形成された渦巻き状のシワ模様２が元に戻ろうとし、折角形成したシワ模様２が崩れるおそれがある。従って、渦巻き状のシワ模様２の表面に薄片状の押当体５（当て布）を積層し、この押当体５の当接により前記シワ模様２を保持し、この状態で熱処理を行う。
【００３３】
更に、押当体５をシワ模様２の表面に積層する前に回転体３の係止部４と布地１との係止が解除されると、やはり、形成された渦巻き状のシワ模様２が元に戻ろうとし、折角形成したシワ模様２が崩れるおそれがある。従って、押当体５には、前記棒状の回転体３が貫通可能な貫通孔６を設けておき、回転体３の係止部４を布地１に係止したまま前記貫通孔６に回転体３を挿通せしめることで、この回転体３により前記シワ模様２を保持した状態を維持したままでの前記押当体５のシワ模様２の表面への積層を行う。この方法により、渦巻き状のシワ模様２は、回転体３の回転によって形成された状態のまま、熱処理によって布地１に記憶されることになる。
【００３４】
熱処理は、一般的に形状記憶用に用いられる熱処理、例えば、アイロン９で押圧するアイロン掛けを採用する。このアイロン掛けは、単なる加熱及び押圧でも、スチームアイロン処理と呼ばれる蒸気を併用したものでも、どちらでも採用することができる。どちらを採用するかは、布地１の素材によって選択する。
【００３５】
この渦巻き状のシワ模様２を複数形成する場合には、布地１に一つずつシワ模様２を形成し、その都度記憶させる工程を行う方法を採用してもしても良いし、布地１に多数のシワ模様２を形成し、その後に形成した全てのシワ模様２を同時に記憶させる方法を採用しても良い。多数を同時に形成する場合、回転体３を多数使用し、更に押当体５にこれら回転体３が貫通する貫通孔６を多数形成して使用すると良い。言い換えると、押当体５に形成する貫通孔６の位置を、布地１に形成する渦巻き状のシワ模様２の配置デザインに合致させ、この配置デザインに応じて回転体３により布地１に渦巻き状のシワ模様２を形成する方法を採用すると良い。
【００３６】
布地１に渦巻き状のシワ模様２を形成し且つ記憶させた後、この布地１を裁断及び縫合等せしめて衣類１１を形成する。得られた衣類１１は、まるで銀河のような立体的な渦巻き状のシワ模様２が形成された非常に斬新なデザインの衣類であった。
【００３７】
このように、布地１に渦巻き状のシワ模様２を形成し且つ記憶させてから衣類１１を形成する方が良いが、例えば、既存の衣類に渦巻き状のシワ模様２を形成し且つ記憶させることもできる。唯、この場合には、前記渦巻き状のシワ模様２の形成により布地１が変形する為、衣類の寸法が少し狂う。
【００３８】
本実施例は上述のようにするから、布地１に今までに見たことの無い非常に斬新で且つ立体的な渦巻き状のシワ模様２を付設できる画期的な技術となる。
【００３９】
また、この渦巻き状のシワ模様２は、回転体３の回転やアイロン掛け等の簡単な手法で形成することができ、生産性は非常に良好である。
【００４０】
また、渦巻き状のシワ模様２は、全くのランダム形状となる訳ではなく、布地１に刺入されるピン７の数や回転体３の回転数等によってある程度の制御を行うことができ、よって、異なる渦巻き度合いのものも狙って形成できる等、汎用性も秀れることになる。
【００４１】
また、渦巻き状のシワ模様２が記憶前に形崩れしないように押当体５で保持した状態で記憶工程を行うから、前記回転体３の回転によって形成された非常に凹凸度合いの高い状態で前記渦巻き状のシワ模様２が布地１に記憶されることになる。
【００４２】
また、押当体５で保持するまでの間も回転体３の係止部４によってシワ模様２の形状を形崩れしないように保持するから、前記回転体３の回転によって形成された非常に凹凸度合いの高い状態を完全に維持したまま前記渦巻き状のシワ模様２が布地１に記憶されることになる。
【００４３】
【発明の効果】
本発明は上述のように構成したから、布地に今までに見たことの無い非常に斬新で且つ立体的な渦巻き状のシワ模様を、回転体の回転と熱処理だけで簡単に布地に付設できる画期的で生産性に秀れた布地のシワ模様付設方法となる。
【００４４】
請求項２記載の発明においては、渦巻き状のシワ模様を記憶させる熱処理としてアイロン掛けを採用したから、誰でも簡単に記憶させる作業を行うことができ、且つ、アイロン掛けの際の押圧により凹凸に非常にメリハリのある極めて立体的な渦巻き状のシワ模様を形成することができる。
【００４５】
請求項３記載の発明においては、渦巻き状のシワ模様を押当体の押し当てによって保持しながらアイロン掛けを行うから、回転体の回転によって形成された渦巻き状のシワ模様の経時による形崩れやアイロン掛けの際の形崩れが阻止され、それだけ立体感やメリハリ感に秀れた渦巻き状のシワ模様を形成することができる。
【００４６】
請求項４記載の発明においては、布地に渦巻き状のシワ模様を形成した後、回転体の係止部が前記シワ模様を保持し、更に、連続して押当体が前記シワ模様を保持し、よって、シワ模様の形成からシワ模様の記憶までの間、確実にシワ模様の形状が保持されることになり、それだけ確実に立体感やメリハリ感に秀れた渦巻き状のシワ模様を布地に付設することができる。
【００４７】
更に、貫通孔の存在により、回転体の係止部によるシワ模様の保持から押当体によるシワ模様の保持までをスムーズ且つ確実に行うことができ、この点において極めて確実に所望の渦巻き状のシワ模様を布地に付設することができる。
【００４８】
また、回転体の除去により、この回転体が熱処理の邪魔になることはなく、よって、渦巻き状のシワ模様の記憶を確実且つ良好に行うことができる。
【００４９】
請求項５記載の発明においては、係止部が布地に刺入可能なピンによって構成されているから、この係止部の布地への係止は確実に行われることになり、よって、回転体の回転による渦巻き状のシワ模様の形成を確実且つ良好に行うことができる。
【００５０】
更に、ピンの数は二本以上であるから、形成される渦巻き状のシワ模様は確実に二本以上の腕を有する美しい渦巻きとなり、美観，デザイン性に秀れた渦巻き状のシワ模様の形成を確実且つ良好に行うことができる。
【００５１】
請求項６記載の発明においては、布地が形状記憶素材製であるから、形成された渦巻き状のシワ模様は確実に布地に記憶されて洗濯や経時変化によって劣化（形崩れ）しにくく、この点において耐久性に秀れることになる。
【００５２】
このような請求項１〜６の発明を用いた布地で形成した衣類は、非常に斬新な渦巻き状のシワ模様を有するものとなり、ファッション性に秀れたものとなる。
【図面の簡単な説明】
【図１】本実施例のシワ模様２の形成前の状態を示す説明斜視図である。
【図２】本実施例の回転体３の回転によりシワ模様２を形成する工程を示す説明斜視図である。
【図３】本実施例のシワ模様２の表面に押当体５を積層した状態を示す説明斜視図である。
【図４】本実施例の熱処理（アイロン掛け）を示す説明斜視図である。
【図５】本実施例の渦巻き状のシワ模様２の説明拡大平面図である。
【図６】本実施例の衣類１１の説明図である。
【符号の説明】
１  布地
２  シワ模様
３  回転体
４  係止部
５  押当体
６  貫通孔
７  ピン
１１  衣類
【図１】
2004211226.tif 000003
【図２】
2004211226.tif 000004
【図３】
2004211226.tif 000005
【図４】
2004211226.tif 000006
【図５】
2004211226.tif 000007
【図６】
2004211226.tif 000008